(57)【要約】
【課題】簡素な構成で設置場所をとらず短い距離間で被搬送物を搬送する。
【解決手段】搬送装置２は、被搬送物が受け渡しされる場所間を結ぶ搬送路３と、この搬送路３を吊り下げる支柱４と、搬送路３に沿って設けられ搬送路３上に通路７、８を確保するガイド壁６と、通路７、８に移動自在に載置され下部に被搬送物を吊り下げる吊り下げ部１３を有する移動体１１と、この移動体１１にプーリ２５Ａ、２５Ａ、２５Ｂ、２５Ｂを介して無端状に取り付けられる操作紐２４Ａ、２４Ｂとを備えている。操作紐２４Ａ、２４Ｂを操作できる場所であればどこでも操作紐２４Ａ、２４Ｂを操作して被搬送物を搬送することができる。
【選択図】図１
0003100741.tif 000002
【実用新案登録請求の範囲】
【請求項１】
直線状の搬送路と、この搬送路を吊り下げる支持部材と、搬送路に沿って設けられ搬送路上に通路を確保するガイドと、通路に移動自在に載置され下部に被搬送物を吊り下げる吊り下げ部を有する移動体と、この移動体にプーリを介して無端状に取り付けられる操作紐とを備えたことを特徴とする搬送装置。
【請求項２】
支持部材を搬送路の中央側に設け、ガイドを、搬送路両側に通路を確保するように支持部材の外側で長手方向に沿って設け、移動体を、通路上を転動する搬送ローラと、ガイドに当接するガイドローラと、搬送路側面に当接する側面ローラと、上端にこれら各ローラを結ぶ軸部を備えばねによりガイドローラと側面ローラを中央側に押圧するフレームとを備えて構成したことを特徴とする請求項１に記載の搬送装置。
【考案の詳細な説明】
【技術分野】
【０００１】
本考案は、搬送装置に関するものである。
【背景技術】
【０００２】
一般に、短い距離間で軽量の被搬送物を持ち運んだり、受け渡しのため往復を繰り返す場合、歩行によることが多い。例えば、屋内の職場や施設内で歩いて数歩から数十歩位の距離間であれば、搬送設備を設けることなく歩行により、持ち運びや受け渡しをすることが多い。しかしながら、何度も往復を繰り返すと作業員の疲労が増すばかりでなく効率も低下してしまう。このため、従来、短距離であっても、屋内で被搬送物を搬送する搬送装置が知られている（例えば、特許文献１参照）。
【０００３】
特許文献１に記載の従来の搬送装置は、左右一対のガイドプーリにそれぞれ牽引ロープを巻回し、これら牽引ロープ間に被搬送物載置用のロープを設け、ガイドプーリにクラッチを介してモータを連結するようにしている。
【特許文献１】特開２００２−１７２７５３号公報（第３頁、図４）
【考案の開示】
【考案が解決しようとする課題】
【０００４】
しかしながら、上記従来の搬送装置では、短距離間で軽量の被搬送物を持ち運んだり、受け渡しする場合、装置自体が大型化してしまうので、設置場所の空間を確保することができないという問題がある。また、設置に要するコストがかかるという問題がある。
【０００５】
また、戸外の場合、例えば、郵便物や新聞を取り入れる際、玄関からポストの設置された門までの短い距離間では、上記従来のような大型の搬送装置を設置することは難しいという問題がある。
【０００６】
本考案は、上記課題を解決するためになされたもので、屋内または戸外に限らず、簡素な構成で設置場所をとらず短い距離間で被搬送物を持ち運んだり、受け渡しすることができる搬送装置を提供することを目的とするものである。
【課題を解決するための手段】
【０００７】
本考案に係る搬送装置は、直線状の搬送路と、この搬送路を吊り下げる支持部材と、搬送路に沿って設けられ搬送路上に通路を確保するガイドと、通路に移動自在に載置され下部に被搬送物を吊り下げる吊り下げ部を有する移動体と、この移動体にプーリを介して無端状に取り付けられる操作紐とを備えたものである。
【０００８】
本考案に係る搬送装置では、直線状の搬送路と、この搬送路を吊り下げる支持部材と、搬送路に沿って設けられ搬送路上に通路を確保するガイドと、通路に移動自在に載置され下部に被搬送物を吊り下げる吊り下げ部を有する移動体と、この移動体にプーリを介して無端状に取り付けられる操作紐とを備えたことにより、適当な場所で操作紐を操作すると、移動体は通路の両端間を自在に移動される。このため、被搬送物を吊り下げ部に吊り下げて操作紐を操作すると、被搬送物は通路に沿って搬送される。支持部材を別の場所に移せば、搬送路の設置場所も容易に変更できる。
【０００９】
また、請求項２に係る搬送装置は、支持部材を搬送路の中央側に設け、ガイドを、搬送路両側に通路を確保するように支持部材の外側で長手方向に沿って設け、移動体を、通路上を転動する搬送ローラと、ガイドに当接するガイドローラと、搬送路側面に当接する側面ローラと、上端にこれら各ローラを結ぶ軸部を備えばねによりガイドローラと側面ローラを中央側に押圧するフレームとを備えて構成したものである。
【００１０】
請求項２に係る搬送装置では、支持部材を搬送路の中央側に設け、ガイドを、搬送路両側に通路を確保するように支持部材の外側で長手方向に沿って設け、移動体を、通路上を転動する搬送ローラと、ガイドに当接するガイドローラと、搬送路側面に当接する側面ローラと、上端にこれら各ローラを結ぶ軸部を備えばねによりガイドローラと側面ローラを中央側に押圧するフレームとを備えて構成したことにより、操作紐をフレームに結んで操作すると、フレームが操作紐に引っ張られ搬送ローラが通路上を転動する。ガイドローラはガイドに、側面ローラは搬送路側面にそれぞればねにより圧接されて転動するので、搬送ローラは左右両側の通路に沿って円滑に転動される。
【考案の効果】
【００１１】
本考案に係る搬送装置は、直線状の搬送路と、この搬送路を吊り下げる支持部材と、搬送路に沿って設けられ搬送路上に通路を確保するガイドと、通路に移動自在に載置され下部に被搬送物を吊り下げる吊り下げ部を有する移動体と、この移動体にプーリを介して無端状に取り付けられる操作紐とを備えるようにしたので、屋内屋外を問わず簡単に設置したり解体することができるので、どこにでも自由に持ち運んで設置することができる。しかも装置を軽量化、簡素化することができるので、作業性が向上し製造コストを低減できる。また、適当な場所で操作紐を操作して搬送することができるので、屋内外を結んで作業する場合、天候に左右されず、快適に受け渡しを行うことができる。さらに、屋内で、玄関の投函口と部屋とを結んで設置すると、配達人と直接接することがなく、犯罪の被害から身を守ることができるとともに、足の不自由な人が利用すれば、手元の操作紐の操作で、荷物の受け渡しをすることができる。
【考案を実施するための最良の形態】
【００１２】
簡素な構成でしかも容易に被搬送物を搬送するという目的を、吊り下げた搬送路に移動体を載置し、この移動体を操作紐または操作手段により操作することにより実現した。
【実施例１】
【００１３】
以下、図面に示す実施の形態により本考案を説明する。図１は本考案の第１の実施の形態に係る搬送装置であり、図２は図１の搬送装置の搬送路を示す斜視図である。本実施の形態に係る搬送装置２は、図２に示す細長い板状で直線状の搬送路３を備えている。この搬送路３は、搬送距離に応じて予め長さが決められる。この搬送路３の長さは比較的短距離であることが好ましい。この搬送路３の中心には支柱（支持部材）４が取り付けられる。支柱４の上端には、図示しない上方の構造物に接続される接続具５が設けられる。支柱４は接続具５が図示しない構造物に接続されると、搬送路３を吊り下げて支持するようになっている。
【００１４】
搬送路３上には、図２および図３に示すように、中央に沿って長手方向に延びるガイド壁（ガイド）６が設けられる。ガイド壁６は中心部が外側に膨らみその内部に支柱４が配置される。ガイド壁６は中心の膨出部分から両端にゆくに従って幅狭となり、交わるようになっている。搬送路３上面は、ガイド壁６により左右両側に仕切られ、通路７、８が形成される。通路７、８の両端には、脱落防止用のストッパ９、１０が設けられる。
【００１５】
搬送路３上には、移動体１１が載置される。移動体１１は、パンタグラフ状のフレーム１２を備えている。フレーム１２は、一端が互いに回動自在に連結された吊り下げロッド１４Ａ、１４Ｂと、これら吊り下げロッド１４Ａ、１４Ｂの他端にそれぞれ回動自在に連結され、他端に分岐した軸部１５が形成された支持ロッド１６Ａ、１６Ｂとにより構成される。両吊り下げロッド１４Ａ、１４Ｂの回動部１３Ａには、被搬送物を吊り下げる鉤状の吊り下げ部１３が形成される
【００１６】
分岐軸部１５には、図１および図４に示すように、下方に延びる軸部１５Ａに側面ローラ２０が、搬送路３中央側に向かって水平に延びる軸部１５Ｂに搬送ローラ２１がそれぞれ取り付けられる。搬送ローラ２１は通路７、８に載置され、側面ローラ２０は搬送路側面３Ａに接するようになっている。また、分岐軸部１５には、水平軸部１５Ｂから上方に延びて折れ曲がり、搬送ローラ２１上を搬送路３中央側に向かって延びさらに折れ曲がって上方に延びる軸部１５Ｃが形成される。この軸部１５Ｃには、ガイド壁６に接するガイドローラ２２が取り付けられる。
【００１７】
フレーム１２には、両回動部１２Ａ、１２Ｂ間にばね２３が取り付けられる。このばね２３の付勢力によりロッド１４Ａ、１４Ｂ、１６Ａ、１６Ｂは常に内側に引きつけられるようになっているので、分岐軸部１５も内側に押されるようになっている。このため、ガイドローラ２２と側面ローラ２０はそれぞれ、ガイド壁６と搬送路側面３Ａ、３Ａに押圧されて転動するようになっている。
【００１８】
支持ロッド１６Ａ、１６Ｂの上部にはそれぞれ、操作紐２４Ａ、２４Ｂが無端状に結ばれる。無端状の操作紐２４Ａ、２４Ｂはそれぞれ、搬送路３の長手方向両端に設けられたガイドプーリ２５Ａ、２５Ａ、２５Ｂ、２５Ｂに巻回される。なお、これらガイドプーリ２５Ａ、２５Ａ、２５Ｂ、２５Ｂは、搬送路３の長手方向両端の近傍に設けるようにしてもよい。
【００１９】
次に、本実施の形態に係る搬送装置２の作用について説明する。まず、被搬送物（例えば、書類や郵便物）が受け渡しされる場所が特定され、設置する場所が決まると、搬送装置２を運び込み、接続具５を図示しない上方の構造物に接続し搬送路３を吊り下げる。次に、移動体１１を搬送路３に載置する。載置する際、フレーム１２の支持ロッド１６Ａ、１６Ｂをばね２３の力に抗して押し広げ、搬送路３の下方から持ち上げて搬送ローラ２１を通路７、８に載せる。手を離すと、移動体１１はばね２３の力によりガイドローラ２２と側面ローラ２０はそれぞれ、ガイド壁６と搬送路側面３Ａ、３Ａに押圧された状態で静止する。次に、右側操作紐２４Ａを右側両ガイドプーリ２５Ａ、２５Ａに、左側操作紐２４Ｂを左側両ガイドプーリ２５Ｂ、２５Ｂにそれぞれ巻回する。
【００２０】
このようにして設置された搬送装置２は、搬送路３に沿った所望の場所で吊り下げ部１３に被搬送物が吊り下げられると、作業者は、操作紐２４Ａ、２４Ｂを操作可能な適当な場所で、操作紐２４Ａ、２４Ｂを操作すると、移動体１１はフレーム１２に結ばれた操作紐２４Ａ、２４Ｂに牽引される。フレーム１２が牽引されると、搬送ローラ２１は通路７、８上を転動する。このとき、ガイドローラ２２と側面ローラ２０とがそれぞれ、ガイド壁６と搬送路側面３Ａ、３Ａに押圧されているので、移動体１１は通路７、８に沿って円滑に移動される。搬送路３端部に達してもストッパ９、１０が設けられているので、脱落することがない。搬送ローラ２１は通路７、８上を転動するようになっているので、たとえフレーム１２の吊り下げ部１３に重い被搬送物が吊り下げられても重量を通路７、８で支えることができる。このように本実施の形態に係る搬送装置２では、操作紐２４Ａ、２４Ｂが操作可能な適当な場所で操作紐２４Ａ、２４Ｂを操作すると、移動体１１は通路７、８の両端間を自在に移動される。このため、被搬送物を吊り下げ部１３に吊り下げて操作紐２４Ａ、２４Ｂを操作すると、被搬送物は通路７、８に沿って自在に搬送される。接続具５を取り外して支柱４を別の場所に移せば、搬送路３の設置場所も容易に変更できる。
【００２１】
次に、この搬送装置２を、戸外の、例えば、玄関から門までの間に設置した場合について説明する。搬送装置２の搬送路３の一端を玄関の屋根の下に、他端を門の傍らに設置し、吊り下げ部１３に郵便物や新聞等（被搬送物）を入れるポストを吊り下げ、移動体１１により移動させてこのポストを門の傍らに配置しておく。郵便物や新聞を取り込む際には、玄関で操作紐２４Ａ、２４Ｂを操作し、ポストを玄関まで牽引し郵便物や新聞を取り込む。取り込み後、再び操作紐２４Ａ、２４Ｂを逆方向に操作し、ポストを門の傍らに戻す。このように、本実施の形態に係る搬送装置２を、玄関から門までの間に設置した場合、門まで歩く必要がなく。玄関で被搬送物を取り込むことができる。
【００２２】
なお、上記実施の形態に係る搬送装置２では、搬送路３を支柱（支持部材）４により上方の構造物に吊り下げるようにしているがこれに限られるものではなく、支柱を逆Ｊ字状の支柱から構成し、床に載置するようにしてもよい。
【図面の簡単な説明】
【００２３】
【図１】本考案の第１の実施の形態に係る搬送装置を示す説明図である。（実施例１）
【図２】図１の搬送装置の要部を示す一部省略斜視図である。
【図３】図２の要部の平面図である。
【図４】図１の搬送装置の要部を示す斜視図である。
【符号の説明】
【００２４】
２  搬送装置
３  搬送路
４  支柱（支持部材）
６  ガイド壁（ガイド）
７、８  通路
１１  移動体
１３  吊り下げ部
２４Ａ、２４Ｂ  操作紐
２５Ａ、２５Ａ、２５Ｂ、２５Ｂ  プーリ
【図１】
0003100741.tif 000003
【図２】
0003100741.tif 000004
【図３】
0003100741.tif 000005
【図４】
0003100741.tif 000006